(57)【要約】【課題】ゴミとして廃棄するときに、容器本体内の潮解液を簡単に、かつ、速やかに排出することができる水抜き孔を備えている除湿器を提供する。【解決手段】上面開口部３を有する容器本体１内に潮解性吸湿材７が収容され、上面開口部３が少なくとも透湿非透水性シート４によって塞がれている除湿器Ａの透湿非透水性シート４に、閉鎖シート１４により開口可能に塞がれた水抜き孔１３が設けられ、この水抜き孔１３は、平面視で略矩形形状に形成されている上面開口部３の開口短辺縁部３ｃ寄りに位置して設けられている。【選択図】図８
2010274218.tif 000002
【特許請求の範囲】
【請求項１】
上面開口部を有する容器本体内に潮解性吸湿材が収容され、前記上面開口部が少なくとも透湿非透水性シートによって塞がれている除湿器であって、
前記透湿非透水性シートに、閉鎖手段により開口可能に塞がれた水抜き孔を設けてなることを特徴とする除湿器。
【請求項２】
前記水抜き孔が、平面視で略矩形形状に形成されている前記上面開口部の開口短辺縁部寄りに位置して設けられていることを特徴とする請求項１に記載の除湿器。
【請求項３】
前記閉鎖手段が、前記水抜き孔より大きめに形成されている密閉シートであり、前記水抜き孔の孔周辺において前記透湿非透水性シートに剥離可能に熱溶着されるとともに、剥離用の摘み部を備えていることを特徴とする請求項１または請求項２に記載の除湿器。
【発明の詳細な説明】
【技術分野】
【０００１】
本発明は、空気中の湿気を潮解性除湿剤で吸湿して空間の湿度を下げ、湿度を低く保つ、押入れ、タンス、下駄箱その他の収納空間などにおいて使用される除湿器に関する。
に関する。
【背景技術】
【０００２】
除湿器は、上面開口部を有する容器本体内に潮解性除湿剤を収容している。上面開口部は、透湿非透水性シート（以後、単に「透湿性シート」と言う）によって塞がれ、さらにこの透湿性シートの上には密封シート（防湿性シート）が剥離可能に貼着されている（例えば、特許文献１および特許文献２などを参照）。
ちなみに、透湿性シートは、湿気や空気を通すが、水は通さない。例えば、ポリオレフィン樹脂やポリアミド樹脂、ポリ塩化ビニル樹脂などに微小孔が処理されてなるものであり、容器本体の上面開口部への貼着は、超音波溶着、高周波溶着、熱板溶着、熱溶着などによって開口縁部（フランジ部）に対して行われる。
一方、密封シートは、湿気や空気、そして水も通さない。例えば、アルミシートやポリプロピレンなどのガスバリヤ性フィルムなどからなるものであり、透湿性シートの表面に剥離可能に貼着され、購入者が使用するときに、透湿性シートの表面から簡単に剥離し得るようになっている。
【０００３】
このように構成されている除湿器は、押入れ、タンス、下駄箱その他の収納空間などにおいて幅広く使用され、空気中の湿気を潮解性除湿剤で吸湿して空間の湿度を下げ、湿度を低く保つ。
【先行技術文献】
【特許文献】
【０００４】
【特許文献１】特許第３２９０１０６号公報
【特許文献２】特開２００１−２３９１２６号公報
【発明の概要】
【発明が解決しようとする課題】
【０００５】
しかしながら、特許文献１および特許文献２に記載の従来技術では、使用後、ゴミとして廃棄するときに、容器内底部側に溜まっている潮解液を容器の外に排出するための水抜き孔を備えていない。そのため、従来では、カッター、ハサミなどの切断具を用いて透湿性シートを切断するなどによって開口部を設けて潮解液を排出しなければならなかった。
また、潮解液は非常に塩分濃度が高い液体であるために、切断に使用した切断具が腐食するなどの問題が発生し、その改善が求められていた。
【０００６】
そこで、本発明は、前記課題を解消するために創案されたものであり、ゴミとして廃棄するときに、容器本体内の潮解液を簡単に、かつ、速やかに排出することができる水抜き孔を備えている除湿器を提供することにある。
【課題を解決するための手段】
【０００７】
前記課題を解決するために、本発明では、上面開口部を有する容器本体内に潮解性吸湿材が収容され、前記上面開口部が少なくとも透湿非透水性シートによって塞がれている除湿器であって、
前記透湿非透水性シートに、閉鎖手段により開口可能に塞がれた水抜き孔を設けてなることを特徴とする。
ここで、前記水抜き孔が、平面視で略矩形形状に形成されている前記上面開口部の開口短辺縁部寄りに位置して設けられていることが好適なものとなり、また、前記閉鎖手段が、前記水抜き孔より二周りほど大きめに形成されている閉鎖シートであり、前記水抜き孔の開口周辺において前記透湿非透水性シートに剥離可能に熱溶着されるとともに、剥離用の摘み部を備えていることが好適なものとなる。
【０００８】
このような構成によれば、使用後、除湿器をゴミとして廃棄するときには、閉鎖シートの摘み部を摘み、該閉鎖シートを透湿非透水性シートから剥がして水抜き孔を開口することで、容器本体の潮解液を排出することができる。
また、水抜き孔が、平面視で略矩形形状に開口されている上面開口部の短辺縁部寄りに開口されていることで、容器本体内に潮解液を残すことなく、排出することができる。
【発明の効果】
【０００９】
本発明の除湿器は、以上のように構成されていることで、ゴミとして廃棄するときに、容器本体内の潮解液を水抜き孔から簡単に、かつ、速やかに排出することができる。
これにより、従来のように、カッター、ハサミなどの切断具を用いて透湿非透水性シートを切断するなどの面倒で、手間の掛かる作業が解消されて、消費者に対するサービスの向上を期待することができる。つまり、消費者は、使用後、手間を掛けずに簡単に廃棄することができるとともに、切削具が腐食するなどの問題をも解決することができるなどの取扱い性に優れた除湿器を提供することができる。
【図面の簡単な説明】
【００１０】
【図１】本実施形態に係る本発明の除湿器を示す斜視図である。
【図２】同除湿器の縦断面図である。
【図３】同除湿器の容器本体を示し、（ａ）は、容器開口部の斜め上方から見たときの斜視図であり、（ｂ）は、受け皿を内在させた状態の同斜視図である。
【図４】受け皿を示す斜視図である。
【図５】透湿性シートが取り付けられた容器本体の上面開口部を示す平面図であり、(ａ)は、閉鎖シールで水抜き孔が塞がれている状態を示し、（ｂ）は、閉鎖シールが水抜き孔から剥がされた状態を示し、（ｃ）は、（ａ）の要部の拡大断面図である。
【図６】透湿性シートが取り付けられた容器本体の上面開口部を示す他の実施形態の平面図である。
【図７】購入者が使用するときに、蓋体を取り外し、密封シートを取り剥がしている状態を示す斜視図である。
【図８】タンスなどにおいての使用状態を示す斜視図である。
【図９】水抜き孔から潮解液を排出している状態を示す斜視図である。
【発明を実施するための形態】
【００１１】
以下、本発明の実施形態について、適宜図面を参照しながら詳細に説明する。
図１は、本実施形態に係る本発明の除湿器を示す斜視図であり、図２は、同縦断面図である。
【００１２】
≪除湿器の構成≫
除湿器Ａは、図１および図２に示すように、上面を開口した容器本体１と、この容器本体１内の中高部位に内在される簀の子状の受け皿２と、上面開口部３を塞ぐ透湿非透水性シート（以後、単に「透湿性シート」と称する）４および密封シート５、そして上面開口部３に着脱自在に装着される紙製の蓋体６とを備えて構成されている。
そして、このように構成されている除湿器Ａは、容器本体１内の受け皿２の上に潮解性除湿剤７が収容されており、消費者（使用者）が使用するときに、後記の図６および図７に示すように、密封シート５を透湿性シート４の上から取り剥がすことで、湿気が透湿性シート４を通過して容器本体１内に流入し、潮解性除湿剤７に吸湿されるようになっている。
ちなみに、潮解性除湿剤７は、例えば、顆粒状の塩化カルシウム、塩化マグネシウム、酢酸カリウム、塩化ナトリウムなどからな、空気中の湿気を吸湿することより水溶液へと変化されるものである。
【００１３】
≪容器本体の構成≫
図３は、容器本体を示す斜視図である。
容器本体１は、透明または半透明などの透視可能な合成樹脂材料などによって平面視で略矩形形状に形成されている。
この容器本体１は、図３に示すように、上面開口部３に外向きの平坦状に形成されている開口両長辺縁部（両長辺フランジ部）３ａ，３ｂのうち、一方の開口長辺縁部３ａ側に、容器本体１の内側に向けて所望の凹設幅にて凹設させた内向き凹設縁部３ａ−１を備えている。そして、この内向き凹設縁部３ａ−１の凹設幅方向の両側には容器底壁１ａに至る高さ方向の屈曲部９を備えて、この屈曲部９を介して開口両短辺縁部（開口短辺フランジ部）３ｃに平面視で略円弧形状に連設させてなる。
【００１４】
他方の開口長辺縁部３ｂ側には、内向き凹設縁部３ａ−１と対応させて容器本体１の外側に向けて凸設させた外向き凸設縁部３ｂ−１を備えている。そして、この外向き凸設縁部３ｂ−１の凸設幅方向の両側には容器底壁１ａに至る高さ方向の屈曲部１０を備えて、この屈曲部１０を介して開口両短辺縁部３ｃに平面視で略円弧形状に連設させてなる。
つまり、内向き凹設縁部３ａ−１と外向き凸設縁部３ｂ−１とは、平面視で略同じ形状で、開口両長辺縁部３ａ，３ｂに対して非対称形に形成されている。
【００１５】
また、容器本体１は、図３に示すように、容器周壁１ｂの内側における要所数ヶ所（計８ヶ所）に補強縦リブ１１が備えられており、この各補強縦リブ１１の上端に受け皿２が係止された状態で載置されるようになっている。
【００１６】
≪受け皿の構成≫
図４は、受け皿を示す斜視図である。ここでは、図３を適宜参照しながら説明する。
受け皿２は、合成樹脂材料などによって容器本体１内の中高部位に位置する平面視形状に形成されている。そして、受け皿２は、図３の（ｂ）および図４に示すように、外周輪郭に沿う平坦部２ａと、その内側に一段高く形成されている段部２ｂと、さらにその内側に略山形形状に形成されている中央部２ｃとから形成され、それら各部には、長孔形状の滴下孔１２が多数設けられている。
【００１７】
≪透湿性シートおよび密封シートの説明≫
ここでは、図１および図２を適宜参照しながら説明する
透湿性シート４は、湿気や空気を通すが、水は通さない、例えば、ポリオレフィン樹脂やポリアミド樹脂、ポリ塩化ビニル樹脂などに微小孔が処理されてなるものであり、上面開口部３の開口長辺・短辺両縁部３ａ，３ｂ，３ｃに熱溶着などによって溶着されて取り付けられるようになっている。
そして、この透湿性シート４には、図１および図２、そして後記の図５および図６に示すように、受け皿２によって区画された容器本体１の下部空間Ｍ側に溜まった潮解液Ｗを排出するための水抜き孔１３を備えている。
【００１８】
密封シート５は、湿気や空気、そして水も通さない、例えば、アルミシートやポリプロピレンなどのガスバリヤ性フィルムなどからなるものであり、透湿性シート４に剥離可能に貼着され、購入者が使用するときに、透湿性シート４の表面から簡単に取り剥がすことができるようになっている。
【００１９】
≪水抜き孔の構成≫
図５は、透湿性シートが取り付けられている容器本体の上面開口部を示す平面図および要部の拡大断面図である。ここでは、図１を適宜参照しながら説明する。
水抜き孔１３は、図１および図５に示すように、容器本体１の開口短辺縁部３ｃ寄りで、開口長辺縁部３ａとの連設コーナー側に位置にて透湿性シート４に設けられる。この水抜き孔１３は、透湿性シート４に平面視で略Ｕ字形状の切れ目１３ａが入れられることで形成されて、閉鎖手段である閉鎖シート１４によって塞がれるようになっている。
これにより、潮解性除湿剤７の全てが潮解液Ｗとなって受け皿２の滴下孔１２から容器本体１の下部空間Ｍ側に溜まり、除湿器Ａをゴミとして廃棄するときに、図５の（ｂ）および後記の図９に示すように、閉鎖シート１４を剥がし、容器本体１を傾けることで、水抜き孔１３から潮解液Ｗを簡単に排出することができるようになっている。
【００２０】
閉鎖シート１４は、非透水性シートなどから形成されて、水抜き孔１３を完全に塞ぐように透湿性シート４に熱溶着（ヒートシール）によって貼着される。
なお、閉鎖シート１４の透湿性シート４に対する熱溶着は、閉鎖シート１４を剥がすときに、透湿性シート４が破れるなどの透湿性シート４に影響を与えない程度の弱い熱量によって行われる。
これにより、消費者が使用するときに、透湿性シート４が破れることなく、透湿性シート４から閉鎖シート１４を速やかに剥がして、水抜き孔１３を開口し得るようにしている。
【００２１】
また、略長方形状に形成されている閉鎖シート１４は、図５の（ａ）に交差斜線で示すように、水抜き孔１３の孔周辺において熱溶着により透湿性シート４に貼着され、当該孔周辺以外の閉鎖シート１４の一側短辺側では貼着されずに残されて摘み部１４ａとなり、この摘み部１４ａを摘んで閉鎖シート１４を透湿性シート４から剥がすことができるようになっている。
【００２２】
図６は、透湿性シートが取り付けられている容器本体の上面開口部を示す他の実施形態の平面図である。
また、閉鎖シート１４の摘み部１４ａ側では、熱溶着による貼着が、図６に交差斜線で示すように、平面視で三角形状（山形形状）になるように行われている。これにより、摘み部１４ａを摘んで剥がすときに、その力（応力）が頂部一点に掛かることとなって、閉鎖シート１４をより速やかに剥がすことができるようになっている。
【００２３】
≪蓋体の構成≫
ここでは、図１および図２を適宜参照しながら説明する。
容器本体１の上面開口部３に着脱自在に装着される紙製の蓋体６は、厚紙などのブランクシートを用いた打抜き加工によって形成されるものであり、図１および図２に示すように、透湿性シート４および密封シート５によって塞がれる上面開口部３の全面を覆う程度の大きさを有する天板部６ａに、容器本体１の容器周壁１ｂの上部側を覆う両側板部６ｂを折り曲げ連設させた構成としている。
【００２４】
そして、蓋体６は、天板部６ａと両側板部６ｂとを連設する曲げ部分に上面開口部３の開口両短辺縁部３ｃに係脱自在に掛止させる掛止部１６をそれぞれ備えている。これにより、蓋体６を上面開口部３に係脱自在に装着し得るようにしている。
【００２５】
また、蓋体６は、購入者が使用するときに開口する通気口用の開口切断線８ａを天板部６ａに備えている。
【００２６】
通気口用の開口切断線８ａは、図１に示すように、透湿性シート４に設けられて閉鎖シート１４によって塞がれている水抜き孔１３の開口部位および閉鎖シート１４が貼られている範囲を除く天板部６ａにおいて、適宜形状の通気口８が開口されるようにミシン目などを施すことで形成されている。
【００２７】
［作用説明］
つぎに、以上のように構成されている本実施形態に係る除湿器Ａの使い方について簡単に説明する。
図７は、購入者が使用するときに、蓋体を取り外し、密封シートを取り剥がしている状態を示す斜視図であり、図８は、タンスなどにおいての使用状態を示す斜視図であり、図９は、水抜き孔から潮解液を排出している状態を示す斜視図である。ここでは、図５を適宜参照しながら説明する。
まず、購入者は、タンスなどにおいて使用するときに、図７に示すように、蓋体６を容器本体１から取り外す。つぎに、開口切断線８ａに沿って通気口８の開口面部８ｂを天板部６ａから切り離して天板部６ａに通気口８を開口する。最後に、密封シート５を透湿性シート４から取り剥がした後に、図８に示すように、蓋体６を容器本体１の上面開口部３に装着する。
これにより、湿気が透湿性シート４を通過して容器本体１内への流入が可能となり、容器本体１に流入した湿気は潮解性除湿剤７に吸湿される。
【００２８】
このようにして、タンスなどの収納空間において使用され、湿気の吸湿によって受け皿２上の潮解性除湿剤７の全てが容器本体１の下部空間Ｍに潮解液Ｗとなって滴下し、除湿器Ａをゴミとして廃棄するときには、閉鎖シート１４の摘み部１４ａを摘んで、図５の（ｃ）に二点鎖線で示すように、水抜き孔１３を塞いでいる閉鎖シート１４を透水性シート４から剥がして、図９に示すように、容器本体１を傾けて容器本体１内の潮解液Ｗを水抜き孔１３から排出することができる。
【００２９】
なお、本発明の実施形態の具体的な構成は、前記した実施形態に限られるものではなく、請求項１から請求項３に記載の本発明の要旨を逸脱しない範囲で設計変更などがあっても本発明に含まれるものである。
例えば、水抜き孔１３の開口位置は、図５に示す紙面右側の開口短辺縁部３ｃ寄りに限定されるものではなく、紙面左側の開口短辺縁部３ｃ寄りとすることができる。この場合、蓋体６に開口される通気口８は紙面右側寄りとするが好ましい。また、水抜き孔１３の開口位置を上面開口部３の中央部位とすることができる。
また、透湿性シート４に平面視で略Ｕ字形状に入れられる水抜き孔１３の切れ目１３ａの方向性においても限定されるものではない。さらに、水抜き孔１３の開口形状は、円形、楕円形、長方形など任意に形成することができる。
【００３０】
また、容器本体１の上面開口部３の開口形状を含めた容器本体１全体を、長方形、小判型形状、略台形形状など任意に形成することができる。また、通気口８を有する蓋体６は、合成樹脂材料やその他の材料を用いて形成することができる。
【符号の説明】
【００３１】
Ａ      除湿器
１      容器本体
２      受け皿
３      上面開口部
３ａ，３ｂ  開口長辺縁部
３ｃ    開口短辺縁部
４      透湿非透水性シート
５      密封シート
６      蓋体
７      潮解性除湿剤
８      通気口
１３    水抜き孔
１４    閉鎖シート（閉鎖手段）
１４ａ  摘み部
Ｗ      潮解液
【図１】
2010274218.tif 000003
【図２】
2010274218.tif 000004
【図３】
2010274218.tif 000005
【図４】
2010274218.tif 000006
【図５】
2010274218.tif 000007
【図６】
2010274218.tif 000008
【図７】
2010274218.tif 000009
【図８】
2010274218.tif 000010
【図９】
2010274218.tif 000011